(57)【要約】      （修正有）【課題】ＬＥＤランプに、ちらつきが少なく安定した発光をおこなわせる交流切換え式電源供給器を提供する。【解決手段】ＬＥＤランプの交流切換え式電源供給器は、第１入力整流／ろ波回路１０と電源変換回路２０を包含し、第１入力整流／ろ波回路は第１交流入力電圧ＡＣＩＮ１を整流／ろ波し、且つ第１整流／ろ波電圧を発生し、電源変換回路は第１入力整流／ろ波回路に接続され並びに第２入力整流／ろ波回路を具え、第２入力整流／ろ波回路は第２交流入力電圧ＡＣＩＮ２を整流／ろ波して第２整流／ろ波電圧を発生し、電源変換回路は第１整流／ろ波電圧と第２整流／ろ波電圧により出力電圧を発生する。電源供給器９は安定電圧定電流の特性を達成し、安定した出力電圧をＬＥＤに提供し、良好で、安定し、ちらつきのない効果をもたらす。【選択図】図２
0003153398.tif 000002
【実用新案登録請求の範囲】
【請求項１】
ＬＥＤランプの交流切換え式電源供給器において、該ＬＥＤランプの両端にそれぞれ二つのピンがあり、第１交流入力電圧と第２交流入力電圧を受け取り、該交流切換え式電源供給器は、
該第１交流入力電圧を整流／ろ波して第１整流／ろ波電圧を発生する第１入力整流／ろ波回路と、
電源変換回路であって、該第１入力整流／ろ波回路に接続され並びに第２入力整流／ろ波回路を具え、該第２入力整流／ろ波回路が該第２交流入力電圧を受け取り第２整流／ろ波電圧を発生する、上記電源変換回路と、
を包含したことを特徴とする、ＬＥＤランプの交流切換え式電源供給器。
【請求項２】
請求項１記載のＬＥＤランプの交流切換え式電源供給器において、該第２入力整流／ろ波回路と該第２入力整流／ろ波回路がブリッジ式整流／ろ波回路とされたことを特徴とする、ＬＥＤランプの交流切換え式電源供給器。
【請求項３】
請求項１記載のＬＥＤランプの交流切換え式電源供給器において、該電源変換回路が少なくとも一つのＬＥＤに接続されて、出力電圧を該ＬＥＤに提供し、該電源変換回路はさらに、
変圧器であって、該第１整流／ろ波電圧と該第２整流／ろ波電圧により該出力電圧を発生する、上記変圧器と、
切換え回路であって、該変圧器に接続され、並びに切換え信号を発生して該変圧器を制御し、該第１整流／ろ波電圧と該第２整流／ろ波電圧が供給電圧を該切換え回路に提供する、上記切換え回路と、
静電防護回路であって、その一端が該第１入力整流／ろ波回路と該第２入力整流／ろ波回路に接続され、別端が該変圧器に接続された、上記静電防護回路と、
を包含したことを特徴とする、ＬＥＤランプの交流切換え式電源供給器。
【請求項４】
請求項３記載のＬＥＤランプの交流切換え式電源供給器において、該電源変換回路はさらに、
該ＬＥＤの発光輝度を検出して対応する検出信号を発生する検出回路と、
該検出信号によりフィードバック制御信号を発生し、該切換え回路を制御して該切換え信号を発生させるフィードバック制御回路と、
を包含したことを特徴とする、ＬＥＤランプの交流切換え式電源供給器。
【請求項５】
請求項３記載のＬＥＤランプの交流切換え式電源供給器において、該電源変換回路はさらに、
該電源変換回路の出力端に接続されて、該出力電圧によりフィードバック制御信号を発生し、該切換え回路を制御して該切換え信号を発生させるフィードバック制御回路と、
を包含したことを特徴とする、ＬＥＤランプの交流切換え式電源供給器。
【請求項６】
請求項３記載のＬＥＤランプの交流切換え式電源供給器において、該切換え回路はパルス幅変調回路とされることを特徴とする、ＬＥＤランプの交流切換え式電源供給器。
【請求項７】
請求項１記載のＬＥＤランプの交流切換え式電源供給器において、該電源変換回路は該出力電圧を整流／ろ波する出力整流／ろ波回路をさらに包含することを特徴とする、ＬＥＤランプの交流切換え式電源供給器。
【請求項８】
請求項１記載のＬＥＤランプの交流切換え式電源供給器において、該電源変換回路は隔離式電源変換回路とされたことを特徴とする、ＬＥＤランプの交流切換え式電源供給器。
【考案の詳細な説明】
【技術分野】
【０００１】
本考案は一種の電源供給器に係り、特に一種のＬＥＤランプの交流切換え式電源供給器に関する。
【背景技術】
【０００２】
現在の商用電源は交流電源であり、ゆえに一般に照明器具は交流電源供給器を利用して交流電源を変換して照明器具の必要とする電源を提供する必要がある。しかし、現在交流電源供給器の提供する出力電圧は入力電圧の変動に伴い変化し、ゆえに安定した出力電圧を照明器具に提供できず、且つ固定された電流を提供できず、このため照明器具は受け取る出力電圧が不安定であるため、照明器具が発生する光線輝度にちらつきの現象を発生することがあり、このようなちらつく光源を使用した環境の下では人々は容易に眼精疲労の状況を発生する。
【考案の概要】
【考案が解決しようとする課題】
【０００３】
以上から分かるように、既存の交流電源供給器を利用し安定した出力電圧を照明器具に提供できないために、照明器具が安定した輝度を提供できず、ゆえに照明器具の使用効果が下がる。
【０００４】
上述の問題に対し、本考案は一種の交流切換え式電源供給器を提供し、上述の従来の欠点を改善し、安定電圧定電流の特性を達成し、且つ照明器具に良好で、安定し、ちらつかない効果を具備させ、使用者に快適な照明光線を提供できるようにする。
【０００５】
すなわち、本考案の目的は、一種のＬＥＤランプの交流切換え式電源供給器を提供することにあり、それは、入力整流／ろ波回路と電源変換回路により、安定電圧定電流の特性を達成し、安定した出力電圧を提供し、ＬＥＤに、良好で、安定し、ちらつかない効果を具備させられるものとする。
【０００６】
本考案の別の目的は、一種のＬＥＤランプの交流切換え式電源供給器を提供することにあり、それは隔離式電源変換回路により、高電圧端と低電圧端を分離することにより、使用者に危険が発生するのを防止する目的を達成したものとする。
【課題を解決するための手段】
【０００７】
本考案のＬＥＤランプの交流切換え式電源供給器は、第１入力整流／ろ波回路と電源変換回路を包含し、第１入力整流／ろ波回路は第１交流入力電圧を整流／ろ波し、且つ第１整流／ろ波電圧を発生し、電源変換回路は第１入力整流／ろ波回路に接続され並びに第２入力整流／ろ波回路を具え、第２入力整流／ろ波回路は第２交流入力電圧を整流／ろ波して第２整流／ろ波電圧を発生し、電源変換回路は第１整流／ろ波電圧と第２整流／ろ波電圧により出力電圧を発生する。
【０００８】
このほか、本考案の電源変換回路はさらにフィードバック制御回路を包含し、それはＬＥＤの状態或いは電源変換回路の出力電圧により、電源変換回路を制御して出力電圧を調整し、適合する出力電圧を光源負荷に提供し、光源負荷に正常に光線を発生させる。
【考案の効果】
【０００９】
本考案のＬＥＤランプの交流切換え式電源供給器は、ＬＥＤランプに応用され、交流切換え式電源供給器は第１入力整流／ろ波回路と電源変換回路を包含し、第１入力整流／ろ波回路は第１交流入力電圧を整流／ろ波し、且つ第１整流／ろ波電圧を発生し、電源変換回路は第１入力整流／ろ波回路に接続され並びに第２入力整流／ろ波回路を具え、第２入力整流／ろ波回路は第２交流入力電圧を整流／ろ波して第２整流／ろ波電圧を発生し、電源変換回路は第１整流／ろ波電圧と第２整流／ろ波電圧により出力電圧を発生する。本考案の電源供給器は安定電圧定電流の特性を達成し、安定した出力電圧をＬＥＤに提供し、良好で、安定し、ちらつきのない効果をもたらす。
【図面の簡単な説明】
【００１０】
【図１】本考案の好ましい実施例のＬＥＤランプの交流切換え式電源供給器をＬＥＤランプに設置した表示図である。
【図２】本考案の好ましい実施例のＬＥＤランプの交流切換え式電源供給器のブロック図である。
【図３】本考案の別の好ましい実施例のＬＥＤランプの交流切換え式電源供給器のブロック図である。
【考案を実施するための形態】
【００１１】
図１と図２を参照されたい。これらは本考案の好ましい実施例のＬＥＤランプの交流切換え式電源供給器をＬＥＤランプに設置した表示図である。図示されるように、本考案の交流切換え式電源供給器９はＬＥＤランプ１の内部に取付けられ、且つそれぞれＬＥＤランプ１の第１ピン２、第２ピン３、第３ピン４と第４ピン５、外部からＬＥＤランプ１の両側に提供される第１交流入力電圧ＡＣIN1 と第２交流入力電圧ＡＣIN2 を受け、出力電圧を発生し、ＬＥＤランプ１内部のＬＥＤを点灯する。本考案の交流切換え式電源供給器９はＬＥＤランプに運用される。
【００１２】
図２は本考案の好ましい実施例のＬＥＤランプの交流切換え式電源供給器のブロック図である。図示されるように、本考案の交流切換え式電源供給器９は、第１入力整流／ろ波回路１０と電源変換回路２０を包含し、第１交流入力電圧ＡＣIN1 と第２交流入力電圧ＡＣIN2 を受けて出力電圧を発生して負荷３０に提供する。本実施例の負荷３０は少なくとも一つのＬＥＤとされる。
【００１３】
第１入力整流／ろ波回路１０は第１交流入力電圧ＡＣIN1 を受け取り、それを整流／ろ波して、第１整流／ろ波電圧を発生する。電源変換回路２０は第２入力整流／ろ波回路２１を具え、第２交流入力電圧ＡＣIN2 を受け取りそれを整流／ろ波し、第２整流／ろ波電圧を発生する。上述の第１入力整流／ろ波回路１０と第２入力整流／ろ波回路２１の好ましい実施例はブリッジ整流／ろ波回路とされる。
【００１４】
図２を再び参照されたい。電源変換回路２０は変圧器２２と切換え回路２３を包含する。変圧器２２は電源変換回路２０により第１入力整流／ろ波回路１０の第１整流／ろ波電圧及び第２入力整流／ろ波回路２１の第２整流／ろ波電圧に接続されて、出力電圧を発生する。切換え回路２３は変圧器２２に接続され、切換え信号を発生して該変圧器２２を制御し、即ち切換え信号を利用して変圧器２２を切り換えて、変圧器２２の提供する出力電圧を切り換える。第１入力整流／ろ波回路１０の第１整流／ろ波電圧と第２入力整流／ろ波回路２１の第２整流／ろ波電圧は供給電圧を切換え回路２３に提供し、切換え回路２３の必要とする電源を供給する。切換え回路２３の好ましい実施例はパルス幅変調（ＰＷＭ）回路とされる。
【００１５】
このほか、本考案の電源変換回路２０は静電防護回路２５を包含し、その一端は第１入力整流／ろ波回路１０と第２入力整流／ろ波回路２１に接続され、別端は変圧器２２に接続され、静電防護回路２５は変圧器２２に対して静電防護し、変圧器２２を静電による破壊から保護する。このほか、静電防護回路２５はまた切換え回路２３に接続され、該切換え回路２３に対しても静電防護を行ない、切換え回路２３を保護する。本考案は静電防護回路２５を増設した設計下で、第１入力整流／ろ波回路１０と第２入力整流／ろ波回路２１が静電防護回路２５を通し、ろ波整流後の電圧を変圧器２２の一次側に提供し、変圧器２２の二次側に出力電圧を発生させる。本考案の電源変換回路２０は隔離式電源変換回路とされ、それは本考案の電源変換回路２０に変圧器２２により出力電圧を提供し、且つ変圧器２２の一次側と二次側を分離し、一次側の受け取る電圧と二次側の発生する出力電圧を分離し、それは高電圧端と低電圧端を分離する設計とされ、ゆえに危険性が下がり、使用者に感電の状況を発生せず、危険を防止できる。
【００１６】
図２を再び参照されたい。本考案の電源変換回路２０の変圧器２２の出力端は出力整流／ろ波回路２６に接続され、それは変圧器２２の出力電圧を整流／ろ波し、更に安定した出力電圧を負荷３０に提供する。有効に負荷３０の作動状態に応じて出力状態を自動調整し、適当な出力電圧を負荷３０に提供するため、電源変換回路２０は更に検出回路２７とフィードバック制御回路２８を包含する。検出回路２７は負荷３０の作動状態を検出し、例えば検出回路２７が負荷であるＬＥＤの状態、例えばＬＥＤ（負荷３０）の輝度を検出して対応する検出信号を発生する。フィードバック制御回路２８は検出信号を受けて対応するフィードバック制御信号を発生し、切換え回路２３を制御して切換え信号を発生させ、すなわち切換え回路２３がフィードバック制御信号を受けて切換え信号を発生し、すなわち切換え信号のパルス幅を適当に変調することにより変圧器２２を制御し、こうして電源変換回路２０がＬＥＤ（負荷３０）の作動状態に応じて出力電圧の大きさを調整する。
【００１７】
以上を受け、以下に本考案がどのように検出回路２７とフィードバック制御回路２８を利用し、切換え回路２３を制御し、出力電圧を適宜調整するかについて詳細に説明する。もし検出回路２７が負荷３０（ＬＥＤ）の輝度不足を検出したなら、検出回路２７はそれに対応して検出信号を発生し、フィードバック制御回路２８が検出信号によりフィードバック制御信号を発生し、こうして切換え回路２３がフィードバック制御信号により切換え信号のデューティーサイクルを増し、これにより変圧器２２を制御して出力電圧を高くし、それにより負荷３０（ＬＥＤ）の輝度を高める。反対に、検出回路２７が負荷３０（ＬＥＤ）の発光輝度が強すぎることを検出すると、フィードバック制御回路２８は検出回路２７の発生する検出信号により対応するフィードバック制御信号を発生し、切換え回路２３を制御して切換え信号のデューティーサイクルを短縮し、それにより変圧器２２の出力電圧を下げ、それにより負荷３０（ＬＥＤ）の発光輝度を下げる。
【００１８】
このほか、検出回路２７とフィードバック制御回路２８が変圧器２２の出力電流を固定値に制御することにより、電流安定化の特性を達成することもできる。本考案の電源供給器は電圧安定化の特性を達成し、出力電圧は第１交流入力電圧ＡＣIN1 と第２交流入力電圧ＡＣIN2 の変動により変化せず、安定した出力電圧を負荷３０（ＬＥＤ）に提供し、負荷３０（ＬＥＤ）はちらつきの状況を発生せず、人々に快適な照明光源を提供でき、人々の目が疲労感を生じるのを防止できる。
【００１９】
図３は本考案の別の好ましい実施例のＬＥＤランプの交流切換え式電源供給器のブロック図である。図１及び図２も併せて参照されたい。図示されるように、この実施例の先の実施例との異なるところは、この実施例は検出回路２７を利用せず、この実施例のフィードバック制御回路２８は電源変換回路２０の出力端に接続されて、出力電圧によってフィードバック制御信号を生成し、こうして切換え回路２３の切換え信号発生を制御していることである。この実施例の先の実施例との主要な違いは、直接フィードバック制御回路２８を利用して出力電圧により切換え回路２３を制御し、すなわち、切換え回路２３が出力電圧により切換え信号のパルス幅を調整し、これにより変圧器２２を制御して出力電圧の大きさを制御することである。もし出力電圧が小さければ、切換え回路２３はフィードバック制御回路２８のフィードバック制御信号により切換え信号のデューティーサイクルを増加して、変圧器２２を制御して出力電圧を増す。反対に出力電圧が大きすぎれば、切換え回路２３はフィードバック制御信号により切換え信号のデューティーサイクルを短縮し、変圧器２２を制御して出力電圧を下げる。
【００２０】
以上は本考案の好ましい実施例の説明に過ぎず、本考案の実施の範囲を限定するものではなく、本考案の実用新案登録請求の範囲に基づきなし得る形状、構造、特徴及び精神の同等の変化及び修飾は何れも本考案の請求の範囲に属するものとする。
【符号の説明】
【００２１】
１  ＬＥＤランプ
２  第１ピン
３  第２ピン
４  第３ピン
５  第４ピン
９  交流切換え式電源供給器
１０  第１入力整流／ろ波回路
２０  電源変換回路
２１  第２入力整流／ろ波回路
２２  変圧器
２３  切換え回路
２５  静電防護回路
２６  出力整流／ろ波回路
２７  検出回路
２８  フィードバック制御回路
３０  負荷
ＡＣIN1  第１交流入力電圧
ＡＣIN2  第２交流入力電圧
【図１】
0003153398.tif 000003
【図２】
0003153398.tif 000004
【図３】
0003153398.tif 000005